(57)【特許請求の範囲】
【請求項１】
インナ軸部材が合成樹脂で形成されたアウタ筒部材の筒状部に挿入されて、それらインナ軸部材とアウタ筒部材が本体ゴム弾性体によって相互に弾性連結されていると共に、該筒状部の軸方向一方の端部には外周へ広がるフランジ部が一体形成されて、該フランジ部の軸方向外面に緩衝ゴムが固着されており、該インナ軸部材と該アウタ筒部材の軸方向での相対変位量を制限するストッパ手段が該インナ軸部材と該フランジ部の該緩衝ゴムを介した軸方向の当接によって構成される筒形防振装置において、
前記フランジ部を形成された前記筒状部の軸方向一方の端部の内径寸法が該筒状部の軸方向他方の端部の内径寸法よりも小さくされていると共に、該筒状部の軸方向一方の端部が該筒状部の軸方向他方の端部よりも厚肉とされていることを特徴とする筒形防振装置。
【請求項２】
前記フランジ部を形成された前記筒状部の軸方向一方の端部と他方の端部との厚さの差が５ｍｍ以下とされている請求項１に記載の筒形防振装置。
【請求項３】
前記フランジ部を形成された前記筒状部の軸方向一方の端部が該フランジ部よりも厚肉とされていると共に、該筒状部の軸方向一方の端部の厚さが該フランジ部の３倍以下とされている請求項１又は２に記載の筒形防振装置。
【請求項４】
前記フランジ部を形成された前記筒状部の軸方向一方の端部と該筒状部の軸方向他方の端部の内径寸法の差が、該筒状部の軸方向一方の端部の内径寸法の０．２倍よりも小さくされている請求項１〜３の何れか一項に記載の筒形防振装置。
【請求項５】
前記筒状部の内周面の少なくとも一部が、前記フランジ部を形成された該筒状部の軸方向一方から該筒状部の軸方向他方に向かって次第に大径となるテーパ面とされている請求項１〜４の何れか一項に記載の筒形防振装置。
【請求項６】
前記フランジ部を形成された前記筒状部の軸方向一方の端部は、内径寸法が軸方向で一定のストレート部とされている請求項１〜５の何れか一項に記載の筒形防振装置。
【発明の詳細な説明】
【技術分野】
【０００１】
本発明は、自動車のエンジンマウントやサスペンションマウントなどに用いられる筒形防振装置に関するものである。
【背景技術】
【０００２】
従来から、振動伝達系を構成する部材間に配設されて、それら部材を相互に防振連結する防振装置の一種として、筒形防振装置が知られている。筒形防振装置は、インナ軸部材がアウタ筒部材の筒状部に挿入されて、それらインナ軸部材とアウタ筒部材が本体ゴム弾性体によって径方向で相互に弾性連結された構造とされている。
【０００３】
また、軽量化や製造の容易化などを目的として、昨今では、金属製であったアウタ筒部材を合成樹脂で形成することも提案されており、例えば、特開２００１−７４０８０号公報（特許文献１）などがある。
【０００４】
ところで、特許文献１の筒形防振装置のように、アウタ筒部材の軸方向一方の端部に外周へ広がるフランジ部が形成されて、フランジ部がインナ軸部材に取り付けられる車両ボデー等の部材と緩衝ゴムを介して軸方向に当接することで、インナ軸部材とアウタ筒部材の軸方向の相対変位量を制限するストッパ手段が構成される場合もある。
【０００５】
しかし、このようなストッパ手段では、特性のチューニング自由度を十分に確保し難いという問題があった。即ち、ストッパ手段の特性を調節するためには、フランジ部を大きくして実質的なストッパ当接面積を大きく確保することにより、緩衝ゴムの大きさや形状、配置などを調節することが有効であるが、フランジ部の外周への突出量は筒形防振装置の配設スペースによっては制限される場合もある。しかも、仮にフランジ部を外周へ大きく突出させ得たとしても、合成樹脂で形成されたアウタ筒部材では、ストッパ荷重によるフランジ部の亀裂などが生じ易くなって、結果的にストッパ手段の特性チューニングの自由度を大きく得ることができないおそれもあった。
【先行技術文献】
【特許文献】
【０００６】
【特許文献１】特開２００１−７４０８０号公報
【発明の概要】
【発明が解決しようとする課題】
【０００７】
本発明は、上述の事情を背景に為されたものであって、その解決課題は、フランジ部を外周へ大きく突出させることなく、インナ軸部材とアウタ筒部材の軸方向での相対変位量を制限するストッパ手段の特性を、大きな自由度でチューニングすることができる、新規な構造の筒形防振装置を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
すなわち、本発明の第一の態様は、インナ軸部材が合成樹脂で形成されたアウタ筒部材の筒状部に挿入されて、それらインナ軸部材とアウタ筒部材が本体ゴム弾性体によって相互に弾性連結されていると共に、該筒状部の軸方向一方の端部には外周へ広がるフランジ部が一体形成されて、該フランジ部の軸方向外面に緩衝ゴムが固着されており、該インナ軸部材と該アウタ筒部材の軸方向での相対変位量を制限するストッパ手段が該インナ軸部材と該フランジ部の該緩衝ゴムを介した軸方向の当接によって構成される筒形防振装置において、前記フランジ部を形成された前記筒状部の軸方向一方の端部の内径寸法が該筒状部の軸方向他方の端部の内径寸法よりも小さくされていると共に、該筒状部の軸方向一方の端部が該筒状部の軸方向他方の端部よりも厚肉とされていることを、特徴とする。
【００１０】
このような本発明の第一の態様に従う構造とされた筒形防振装置によれば、筒状部の軸方向一方の端部が厚肉とされていることにより、緩衝ゴムをフランジ部から筒状部の軸方向端面にかけて固着して設けることにより、緩衝ゴムの大きさや形状、配置などの調節自由度を大きくすることができる。これにより、インナ軸部材とフランジ部の軸方向外面を含むアウタ筒部材の軸方向端面とが緩衝ゴムを介して軸方向で当接した状態において、筒形防振装置の軸方向のばね特性を大きな自由度で設定することができて、目的とする防振性能を有利に実現することができる。
【００１１】
しかも、筒状部の軸方向一方の端部が軸方向他方の端部よりも内径寸法を小さくされることで厚肉とされて、アウタ筒部材の軸方向端面が径方向に大きく確保されることから、フランジ部の外周側への突出量を大きくすることなく、緩衝ゴムの固着面を大きく得ることができる。従って、緩衝ゴムの固着面を大きく得るために筒形防振装置の外径寸法を大きくする必要はなく、筒形防振装置の配設領域が特に外周側で制限されている場合にも、軸方向ばね特性のチューニング自由度を大きく確保することができる。
【００１２】
また、筒状部の軸方向他方の端部が一方の端部よりも内径寸法を大きくされていることから、緩衝ゴムの固着面積に影響しない軸方向他方の端部では、本体ゴム弾性体のゴムボリュームが大きく確保されて、軸直角方向やこじり方向での防振性能が有利に発揮されると共に、本体ゴム弾性体の耐久性の低下が防止される。加えて、筒状部の軸方向他方の端部が一方の端部よりも薄肉とされていることにより、本体ゴム弾性体の径方向でのゴムボリュームを大きく確保しても、筒状部の軸方向他方の端部が一方の端部に比して著しく大径となることもない。
【００１３】
本発明の第二の態様は、第一の態様に記載された筒形防振装置において、前記フランジ部を形成された前記筒状部の軸方向一方の端部と他方の端部との厚さの差が５ｍｍ以下とされているものである。
【００１４】
第二の態様によれば、筒状部の厚さ寸法が軸方向で著しく変化するのを防ぐことができて、厚さの変化部分での応力集中による割れや、本体ゴム弾性体の形状が制限されることによる防振特性への悪影響などが回避されると共に、筒状部を容易に且つ安定した品質で製造することができる。
【００１５】
本発明の第三の態様は、第一又は第二の態様に記載された筒形防振装置において、前記フランジ部を形成された前記筒状部の軸方向一方の端部が該フランジ部よりも厚肉とされていると共に、該筒状部の軸方向一方の端部の厚さが該フランジ部の３倍以下とされているものである。
【００１６】
第三の態様によれば、フランジ部が比較的に薄肉とされることで、ストッパ手段の軸方向でのストッパクリアランスの調節幅を大きく確保し易くなると共に、緩衝ゴムの軸方向寸法も大きな自由度で調節することができる。
【００１７】
また、互いに繋がって一体形成される筒状部の軸方向一方の端部とフランジ部の厚さの差がある程度に抑えられることにより、筒状部と繋がるフランジ部の基端などにおいて、筒状部とフランジ部の変形剛性の差や成形後の収縮などに起因する割れが生じ難くなる。
【００１８】
本発明の第四の態様は、第一〜第三の何れか一つの態様に記載された筒形防振装置において、前記フランジ部を形成された前記筒状部の軸方向一方の端部と該筒状部の軸方向他方の端部の内径寸法の差が、該筒状部の軸方向一方の端部の内径寸法の０．２倍よりも小さくされているものである。
【００１９】
第四の態様によれば、筒状部の軸方向一方の端部と他方の端部の内径寸法の差が、アウタ筒部材のサイズに対して十分に小さくされていることにより、筒状部の内径寸法を軸方向で異ならせることによる防振特性への影響が抑えられて、優れた防振性能を得ることができる。
【００２０】
本発明の第五の態様は、第一〜第四の何れか一つの態様に記載された筒形防振装置において、前記筒状部の内周面の少なくとも一部が、前記フランジ部を形成された該筒状部の軸方向一方から該筒状部の軸方向他方に向かって次第に大径となるテーパ面とされているものである。
【００２１】
第五の態様によれば、筒状部の厚さおよび内径寸法がテーパ面によって軸方向で次第に変化することにより、振動荷重や車両への装着による径方向の入力に対して、筒状部の内周面における応力の集中が低減乃至は回避されて、筒状部の耐久性の向上が図られる。なお、筒状部の内周面を成形する金型を成形後に筒状部の軸方向他方へ抜くようにすれば、テーパ面によって優れた離型性も実現され得る。
【００２２】
本発明の第六の態様は、第一〜第五の何れか一つの態様に記載された筒形防振装置において、前記フランジ部を形成された前記筒状部の軸方向一方の端部は、内径寸法が軸方向で一定のストレート部とされているものである。
【００２３】
第六の態様によれば、アウタ筒部材の内周面と軸方向一方の端面のなす角部が鋭角になるのを防ぐことができて、応力集中が緩和されることで耐久性の向上が図られる。なお、本体ゴム弾性体が筒状部の軸方向一方の端部の内周面を覆うように形成されて、緩衝ゴムが本体ゴム弾性体と一体形成されている場合には、本体ゴム弾性体がアウタ筒部材の内周面と軸方向一方の端面とのなす角部に触れることで裂けるのも防ぐことができて、本体ゴム弾性体の耐久性も向上し得る。
【発明の効果】
【００２４】
本発明によれば、アウタ筒部材の筒状部において軸方向一方の端部が他方の端部よりも厚肉とされていると共に、筒状部の内径寸法が軸方向一方の端部で他方の端部よりも小さくされている。これにより、アウタ筒部材の軸方向一方の端面が大きな面積で形成されて、アウタ筒部材の軸方向一方の端面に固着される緩衝ゴムが大きさや形状、配置などを大きな自由度で設定可能とされる。それ故、緩衝ゴムによって影響されるストッパ手段が当接した状態の軸方向ばね特性を、より大きな自由度で調節することができて、目的とする防振性能を有利に実現することができる。しかも、フランジ部を外周へより大きく突出させる必要はなく、筒形防振装置の大径化も回避される。
【図面の簡単な説明】
【００２５】
【図１】本発明の第一の実施形態としてのサスペンションブッシュを示す正面図。
【図２】図１のＩＩ−ＩＩ断面図。
【図３】図２のＩＩＩ−ＩＩＩ断面図。
【図４】図１に示すサスペンションブッシュを構成するアウタ筒部材の縦断面図。
【図５】図１に示すサスペンションブッシュを車両への装着状態で示す縦断面図。
【発明を実施するための形態】
【００２６】
以下、本発明の実施形態について、図面を参照しつつ説明する。
【００２７】
図１〜３には、本発明に従う構造とされた筒形防振装置の第一の実施形態として、自動車用のサスペンションブッシュ１０が示されている。サスペンションブッシュ１０は、インナ軸部材１２とアウタ筒部材１４が本体ゴム弾性体１６によって弾性連結された構造を有している。
【００２８】
より詳細には、インナ軸部材１２は、小径の筒状の部材であって、鉄やアルミニウム合金などの金属や、繊維補強された合成樹脂などで形成された高剛性の部材とされている。なお、インナ軸部材１２は、後述する本体ゴム弾性体１６の径方向寸法を大きく得るために、変形剛性や車両への取付強度が十分に確保される範囲で細くされていることが望ましい。また、インナ軸部材１２の外周面は、略一定の外径寸法で軸方向に延びる円筒面とされているが、外周面に一体又は別体で凹凸を設けても良く、例えば、外周面に開口する凹所を設けることにより、本体ゴム弾性体１６のゴムボリュームをより大きく確保できる一方、外周面に突出する凸部を設けることにより、軸直角方向のストッパを構成することができる。
【００２９】
アウタ筒部材１４は、大径の円筒形状を有する筒状部１８を備えていると共に、筒状部１８の軸方向一方の端部には、外周側へ軸直角方向で突出するフランジ部２０が、全周に亘って連続して一体形成されている。また、アウタ筒部材１４は、高剛性の部材であって、例えば、ポリアミドやポリアセタール、ポリブチレンテレフタレート、ポリカーボネートなどの合成樹脂で形成されており、好適には、ガラス繊維やカーボン繊維などで補強された繊維補強合成樹脂が採用される。なお、アウタ筒部材１４の筒状部１８は、円筒形状が望ましいが、例えば楕円筒形状なども採用され得る。
【００３０】
そして、インナ軸部材１２がアウタ筒部材１４の筒状部１８に略同一中心軸上で挿入されて、インナ軸部材１２とアウタ筒部材１４が本体ゴム弾性体１６によって弾性連結されている。本体ゴム弾性体１６は、厚肉の略円筒形状を有するゴム弾性体であって、内周面がインナ軸部材１２の外周面に加硫接着されていると共に、外周面がアウタ筒部材１４の内周面に加硫接着されており、インナ軸部材１２とアウタ筒部材１４を備えた一体加硫成形品として形成されている。なお、インナ軸部材１２は、アウタ筒部材１４と本体ゴム弾性体１６で弾性連結された状態において、軸方向両端部がアウタ筒部材１４よりも軸方向外方へ突出していると共に、軸方向一方（図２中、右方）への突出量が他方（図２中、左方）への突出量よりも小さくされている。
【００３１】
さらに、本体ゴム弾性体１６には、軸方向端面に開口するすぐり部２２が、軸方向両側にそれぞれ形成されている。すぐり部２２は、本体ゴム弾性体１６の径方向中央部分を略一定の半円形断面で周方向に延びており、本実施形態では全周に亘って連続する環状の凹所とされている。
【００３２】
更にまた、アウタ筒部材１４の軸方向外面には、緩衝ゴム２４が固着されている。この緩衝ゴム２４は、略一定断面で周方向に延びる環状とされており、アウタ筒部材１４の軸方向外面を構成する筒状部１８の軸方向一方の端面およびフランジ部２０の軸方向外面に固着されている。本実施形態の緩衝ゴム２４は、筒状部１８よりも内周側で本体ゴム弾性体１６と繋がっており、本体ゴム弾性体１６と一体形成されている。
【００３３】
ここにおいて、アウタ筒部材１４の筒状部１８の内周面には、テーパ面２６が設けられている。即ち、筒状部１８の軸方向中央部分の内周面が、フランジ部２０を設けられた軸方向一方へ向かって次第に小径となるテーパ面２６とされており、これによって、筒状部１８の軸方向中央部分は、軸方向他方から一方へ向かって次第に厚肉となるテーパ部２８とされている。本実施形態では、筒状部１８の外周面は、軸方向にストレートな筒状面とされており、略一定の外径寸法を有している。尤も、筒状部１８の軸方向他方の端部は、後述するホルダ４０への圧入を容易にするために、外周面が軸方向他方に向かって次第に小径となる案内面２９とされている。
【００３４】
また、テーパ部２８を挟んだ軸方向両側では、筒状部１８の内径寸法が軸方向で略一定とされており、筒状部１８におけるテーパ部２８よりも軸方向一方側がストレート部としての厚肉部３０とされていると共に、軸方向他方側が薄肉部３２とされている。このように、フランジ部２０を設けられる筒状部１８の軸方向一方の端部が、内径寸法と外径寸法の両方が軸方向で略一定のストレート構造を有する厚肉部３０とされていることで、厚肉部３０の軸方向一方の端部の内周角部は、縦断面において鋭角になることなく略直角とされている。なお、本実施形態では、テーパ面２６と厚肉部３０および薄肉部３２の内周面とが、縦断面において曲率半径の大きな円弧をなす湾曲面で滑らかに連続して繋がっている。
【００３５】
また、厚肉部３０の厚さ寸法ｔ１が薄肉部３２の厚さ寸法ｔ２よりも大きく（ｔ１＞ｔ２）されている。更に、好適には、厚肉部３０の厚さ寸法ｔ１と薄肉部３２の厚さ寸法ｔ２の差ｔ１−ｔ２が５ｍｍ以下とされており、厚肉部３０が薄肉部３２に対して極端に厚肉とならないように設定されている。
【００３６】
さらに、本実施形態では、厚肉部３０の厚さ寸法ｔ１がフランジ部２０の厚さ寸法ｔ３よりも大きく（ｔ１＞ｔ３）されている。より好適には、厚肉部３０の厚さ寸法ｔ１がフランジ部２０の厚さ寸法ｔ３の３倍以下（ｔ１≦３＊ｔ３）とされており、厚肉部３０がフランジ部２０に対して極端に厚肉とならないように設定されている。なお、本実施形態では、薄肉部３２の厚さ寸法ｔ２が、フランジ部２０の厚さ寸法ｔ３よりも大きく（ｔ２＞ｔ３）されており、厚肉部３０と薄肉部３２の厚さの差が、厚肉部３０とフランジ部２０の厚さの差よりも小さくされている。
【００３７】
更にまた、筒状部１８の外径寸法が軸方向全長に亘って略一定とされて、厚肉部３０と薄肉部３２の外径寸法が互いに略同じとされていると共に、厚肉部３０の内径寸法Ｒ１が、薄肉部３２の内径寸法Ｒ２よりも小さく（Ｒ１＜Ｒ２）されている。好適には、厚肉部３０と薄肉部３２の内径寸法の差Ｒ２−Ｒ１が、厚肉部３０の内径寸法Ｒ１の０．２倍よりも小さく（Ｒ２−Ｒ１＜０．２＊Ｒ１）されており、アウタ筒部材１４のサイズに対して厚肉部３０と薄肉部３２の内径寸法の差が制限されている。
【００３８】
また、本実施形態では、本体ゴム弾性体１６の軸方向端面であるすぐり部２２の内面が、内径寸法を軸方向で一定とされた厚肉部３０又は薄肉部３２の内周側に位置するように、テーパ部２８の軸方向長さと軸方向の位置が設定されている。これにより、後述するサスペンションブッシュ１０の車両装着状態において、例えば軸直角方向やこじり方向の荷重入力時に、本体ゴム弾性体１６の軸方向端部に及ぼされる荷重の方向などがテーパ面２６の傾斜角に応じて変化するのを防止できる。それ故、変形量が大きくなり易い本体ゴム弾性体１６の軸方向端部において、耐久性などの特性に対するテーパ面２６の影響を抑えることができる。
【００３９】
そして、アウタ筒部材１４の軸方向一方の端面には緩衝ゴム２４が固着されており、アウタ筒部材１４における緩衝ゴム２４の固着面が、フランジ部２０の軸方向外面と、厚肉部３０の軸方向外面とによって、構成されている。本実施形態では、緩衝ゴム２４の外周端が、フランジ部２０の外周端よりも内周側に位置している。
【００４０】
このような構造とされたサスペンションブッシュ１０は、図５に示すように車両に装着される。即ち、インナ軸部材１２の軸方向一方の端面が車両ボデー３４に重ね合わされて、インナ軸部材１２および車両ボデー３４に挿通されるボルト３６とそれに螺着されるナット３８とによって、インナ軸部材１２と車両ボデー３４が相互に固定される。一方、アウタ筒部材１４は、筒状部１８がトレーリングアームなどに設けられた筒状のホルダ４０に軸方向他方の端部から圧入されることにより、ホルダ４０に固定される。本実施形態では、フランジ部２０がホルダ４０の軸方向一方の端部に軸方向で当接するまで圧入されることで、アウタ筒部材１４とホルダ４０が軸方向で位置決めされるようになっている。以上により、本実施形態に係るサスペンションブッシュ１０が車両に装着されて、トレーリングアームなどのサスペンション側部材が車両ボデー３４に防振連結される。なお、本実施形態の筒状部１８は、厚肉部３０によって径方向の変形剛性が高められていることから、筒状部１８の外径寸法とホルダ４０の内径寸法との差（圧入代）が比較的に小さくされていても、ホルダ４０からの抜けに対する十分な抗力を得ることができる。
【００４１】
また、図５に示されているように、サスペンションブッシュ１０の車両装着状態において、アウタ筒部材１４のフランジ部２０がインナ軸部材１２に固定された車両ボデー３４と軸方向に対向して配置されており、フランジ部２０と車両ボデー３４の軸方向対向面間に緩衝ゴム２４が配されている。本実施形態では、振動荷重などの外力が作用しない静置状態において、緩衝ゴム２４の軸方向外面が車両ボデー３４に当接しており、緩衝ゴム２４がフランジ部２０と車両ボデー３４の間で軸方向に予圧縮されている。
【００４２】
このようなサスペンションブッシュ１０の車両装着状態では、車両ボデー３４とサスペンションの間に入力される振動が、本体ゴム弾性体１６の弾性変形によるエネルギー減衰作用や振動絶縁作用などに基づいて低減されて、路面側から入力された振動の車両ボデー３４への伝達が低減される。
【００４３】
また、インナ軸部材１２に固定された車両ボデー３４と、アウタ筒部材１４の厚肉部３０およびフランジ部２０とが、軸方向で対向して配置されており、緩衝ゴム２４を介して相互に当接している。これにより、軸方向の入力によるインナ軸部材１２のアウタ筒部材１４に対する軸方向他方側への相対変位量が、それらインナ軸部材１２に固定された車両ボデー３４とアウタ筒部材１４の緩衝ゴム２４を介した軸方向での当接によって制限されるようになっており、もって本実施形態のストッパ手段４２が構成されている。このようなストッパ手段４２が設けられていることにより、軸方向入力に対する本体ゴム弾性体１６の過大な剪断変形が防止されて、本体ゴム弾性体１６の耐久性の向上が図られる。
【００４４】
ところで、サスペンションブッシュ１０の軸方向のばね特性には、インナ軸部材１２とアウタ筒部材１４の径方向間に配された本体ゴム弾性体１６のばね成分だけでなく、フランジ部２０と車両ボデー３４の軸方向間に配された緩衝ゴム２４のばね成分も影響する。特に、軸方向では、本体ゴム弾性体１６のばねが主として剪断ばね成分によるのに対して、緩衝ゴム２４のばねは主として圧縮ばね成分によるものであり、サスペンションブッシュ１０の軸方向ばね特性に対する緩衝ゴム２４の影響が大きい。しかも、本実施形態において、図５に示す車両装着状態のサスペンションブッシュ１０は、振動が入力されていない静置状態であっても緩衝ゴム２４が車両ボデー３４に軸方向で当接しており、緩衝ゴム２４のばねがサスペンションブッシュ１０のばね特性に影響するようになっている。
【００４５】
そして、サスペンションブッシュ１０では、緩衝ゴム２４のばねを調節し易くなっており、サスペンションブッシュ１０の軸方向でのばね特性が大きな自由度でチューニング可能とされている。
【００４６】
すなわち、サスペンションブッシュ１０では、アウタ筒部材１４の筒状部１８の軸方向一端（厚肉部３０）が、他端（薄肉部３２）よりも径方向で厚肉（ｔ１＞ｔ２）とされている。特に、アウタ筒部材１４の厚肉部３０は、薄肉部３２よりも内径寸法が小さく（Ｒ１＜Ｒ２）されて、厚肉部３０が薄肉部３２に対して内周側へ突出して厚肉となっていることから、フランジ部２０の筒状部１８から外周への突出量は従来と同等に確保されている。なお、本実施形態では、筒状部１８の外径寸法が軸方向の全体に亘って略一定とされており、厚肉部３０と薄肉部３２の外径寸法が互いに略同じとされている。
【００４７】
これらにより、緩衝ゴム２４を支持するアウタ筒部材１４の軸方向一方の端面の面積が大きくされて、緩衝ゴム２４の形状や大きさ、配置などの自由度が大きく確保される。従って、緩衝ゴム２４のばね特性のチューニング自由度が大きくなって、緩衝ゴム２４の圧縮ばねが影響するサスペンションブッシュ１０の軸方向ばね特性を、調節し易くなる。
【００４８】
さらに、厚肉部３０が薄肉部３２に対して内周側へ厚肉とされて、アウタ筒部材１４の軸方向一方の端面の面積が、フランジ部２０の外径寸法を大きくすることなく、大きく確保されることから、サスペンションブッシュ１０の配設領域が制限されて外周側にスペースがない場合にも、軸方向ばねのチューニング自由度を大きく確保できる。しかも、フランジ部２０の外周への突出寸法を大きくする必要がないことから、フランジ部２０の耐荷重性の低下も防止される。
【００４９】
また、筒状部１８の軸方向他端部を構成する薄肉部３２が厚肉部３０に比して薄肉とされて、内径寸法を大きくされていることから、本体ゴム弾性体１６のゴムボリュームが小さくなるのを抑えることができて、径方向やこじり方向での防振性能が十分に確保される。
【００５０】
また、厚肉部３０の厚さ寸法ｔ１と薄肉部３２の厚さ寸法ｔ２の差ｔ１−ｔ２が５ｍｍ以下とされていることにより、厚肉部３０と薄肉部３２の極端な寸法差に起因する応力の集中などが回避されて、アウタ筒部材１４の製造の容易化や耐久性の向上などが図られる。加えて、成形後の冷却時に厚肉部３０と薄肉部３２の厚さの差による変形量の違いが低減されることから、筒状部１８の厚さが軸方向で異なっていることによる樹脂成形性への悪影響が回避されて、厚肉部３０と薄肉部３２をそれぞれ所定の円筒形状に成形することができる。
【００５１】
さらに、厚肉部３０の厚さ寸法ｔ１がフランジ部２０の厚さ寸法ｔ３よりも大きく（ｔ１＞ｔ３）されていることから、アウタ筒部材１４の軸方向端面における緩衝ゴム２４の固着面積を大きく確保できると共に、緩衝ゴム２４の軸方向寸法やストッパ手段４２のストッパクリアランスなどをより大きく調節することが可能となる。それ故、軸方向のばね特性に対する緩衝ゴム２４の影響をより大きな自由度で調節可能となって、目的とする防振特性や耐久性を有利に実現できる。
【００５２】
しかも、厚肉部３０の厚さ寸法ｔ１がフランジ部２０の厚さ寸法ｔ３の３倍以下（ｔ１≦３＊ｔ３）とされていることによって、厚肉部３０がフランジ部２０に対して極端に厚肉とならないようにされており、筒状部１８とフランジ部２０の接続部分において厚さの差に起因する応力集中が緩和されて、フランジ部２０の基端等で割れなどの発生が防止される。
【００５３】
また、厚肉部３０と薄肉部３２の内径寸法の差Ｒ２−Ｒ１が、厚肉部３０の内径寸法Ｒ１の０．２倍よりも小さく（Ｒ２−Ｒ１＜０．２＊Ｒ１）されており、サスペンションブッシュ１０のサイズに対して厚肉部３０と薄肉部３２の差が十分に小さくされている。これにより、本体ゴム弾性体１６を固着される筒状部１８に設けられて内周側へ突出する厚肉部３０がサスペンションブッシュ１０の防振特性に及ぼす影響を抑えることができて、目的とする防振性能をばね特性の大幅なチューニング変更を要することなく実現できる。
【００５４】
以上、本発明の実施形態について詳述してきたが、本発明はその具体的な記載によって限定されない。例えば、アウタ筒部材１４における筒状部１８の内周面が、軸方向の全長に亘ってテーパ面２６で構成されて。筒状部１８の内径寸法および厚さ寸法が軸方向の全長に亘って変化していても良い。
【００５５】
さらに、厚肉部３０と薄肉部３２は、必ずしもテーパ面２６（テーパ部２８）によって形成される構造には限定されず、例えば、筒状部１８が内周面に段差を有する段付き円筒形状とされて、内径寸法および厚さ寸法が段階的に変化する構造とされることにより、筒状部１８の軸方向一方の端部が他方の端部よりも厚肉とされていても良い。
【００５６】
更にまた、筒状部１８の外周面は、径方向寸法が軸方向で略一定とされたストレート形状であることが望ましいが、例えば、軸方向で外径寸法が次第に変化するテーパ形状なども採用され得る。
【００５７】
また、緩衝ゴム２４は、部品点数を少なくするためには本体ゴム弾性体１６と一体であることが望ましいが、例えば、緩衝ゴム２４を本体ゴム弾性体１６とは別体で形成して、緩衝ゴム２４を本体ゴム弾性体１６とは異なる形成材料で形成することにより、本体ゴム弾性体１６に要求される特性と緩衝ゴム２４に要求される特性とを、それぞれ有利に実現することができる。
【００５８】
また、緩衝ゴム２４は、車両装着状態で必ずしもインナ軸部材１２側（車両ボデー３４）に当接している必要はなく、振動入力のない静置状態で離隔していると共に、軸方向の振動入力時に当接するようにしても良い。
【００５９】
本発明に係る筒形防振装置は、必ずしもサスペンションブッシュとして用いられるものではなく、エンジンマウントやメンバマウント、デフマウントなどにも好適に採用され得る。更に、本発明は、自動車用の筒形防振装置にのみ適用されるものではなく、例えば、自動二輪車や鉄道用車両、産業用車両などに用いられる筒形防振装置にも、適用可能である。
【符号の説明】
【００６０】
１０：サスペンションブッシュ（筒形防振装置）、１２：インナ軸部材、１４：アウタ筒部材、１６：本体ゴム弾性体、１８：筒状部、２０：フランジ部、２６：テーパ面、３０：厚肉部（ストレート部）、４２：ストッパ手段
【図１】
0006424112.tif 000002
【図２】
0006424112.tif 000003
【図３】
0006424112.tif 000004
【図４】
0006424112.tif 000005
【図５】
0006424112.tif 000006